(57)【要約】【課題】撮影中に録画映像を表示して確認することができるビデオカメラを提供する。【解決手段】被写体像を記録媒体に動画として記録を行うビデオカメラにおいて、撮影中の映像を記録しながら撮影開始から一定時間分の映像を画面に表示する表示手段を有する。第１のメモリ１０８は記録媒体に記録するための映像を保持し、第２のメモリ１０９は撮影開始から一定時間分の映像を保持する。撮影開始から一定時間分の映像は、記録媒体に記録される撮影中の映像を表示する画面中に表示される。【選択図】図１
2007281689.tif 000002
【特許請求の範囲】
【請求項１】
被写体の映像を記録媒体に動画として記録を行うビデオカメラにおいて、
撮影中の映像を記録しながら撮影開始から一定時間分の映像を画面に表示する表示手段を有することを特徴とするビデオカメラ。
【請求項２】
撮影中の映像を保持する第１のメモリ手段と、
前記第１のメモリ手段に保持された映像を前記記録媒体に記録する手段と、
撮影開始から一定時間分の映像を保持する第２のメモリ手段を有し、
前記撮影開始から一定時間分の映像は、前記第２のメモリ手段から読み出され、前記表示手段により画面に表示されることを特徴とする請求項１に記載のビデオカメラ。
【請求項３】
撮影中の映像を一時的に保持するメモリ手段と、
前記メモリ手段に保持された映像を間欠的に前記記録媒体に記録する手段と、
前記メモリ手段の撮影開始から一定時間分の映像が保持されている領域を上書き禁止エリアに設定する手段を有し、
前記撮影開始から一定時間分の映像は、前記メモリ手段から読み出され、前記表示手段により画面に表示されることを特徴とする請求項１に記載のビデオカメラ。
【請求項４】
前記撮影開始から一定時間分の映像は、撮影中の映像が表示される画面中に表示されることを特徴とする請求項１から３のいずれか１項に記載のビデオカメラ。
【請求項５】
被写体の映像を記録媒体に動画として記録を行うビデオカメラにおいて、
撮影中の映像を記録しながら撮影開始から任意時間分の映像を画面に表示する表示手段を有することを特徴とするビデオカメラ。
【請求項６】
前記記録媒体はフラッシュメモリであり、前記撮影開始から任意時間分の映像は、前記フラッシュメモリから読み出され、前記表示手段により画面に表示されることを特徴とする請求項５に記載のビデオカメラ。
【請求項７】
前記撮影開始から任意時間分の映像は、撮影中の映像が表示される画面中に表示されることを特徴とする請求項５又は６に記載のビデオカメラ。
【発明の詳細な説明】
【技術分野】
【０００１】
本発明は、液晶モニタ（ＬＣＤ）等の表示手段を有し、動画撮影を行うビデオカメラに関する。
【背景技術】
【０００２】
ビデオカメラは、磁気テープ方式から、ＨＤＤ記録方式へと普及しているが、近年、下記特許文献１に記載されているように光ディスクであるＤＶＤを記録媒体とするものが登場している。
【０００３】
上記従来のＤＶＤ方式のビデオカメラにおいて、録画モードにおいては、撮影中の映像が液晶モニタの画面に表示される。撮影した映像を確認する場合には、ボタン操作により撮影を中断し、録画モードから再生モードへ切り換えることにより、録画した映像を液晶モニタ等により表示していた。
【０００４】
下記特許文献１に記載されるビデオカメラでは、録画した映像を確認する場合に、再生モードに移行し、DVDに録画されている映像のサムネイル（thumnail）をメモリに展開して液晶モニタに表示している。
【０００５】
しかしながら、被写体の状況によっては撮影開始タイミングが急に訪れることも多々ある。そのような場合、録画ボタンを慌てて押した後に、撮り始めの映像が中途半端なものになっていないか疑心暗鬼のまま撮影を続行することになる。そして、例えば、３０分撮影した後に録画映像を確認して初めて撮り始めが失敗していることが分かり、失望することがあった。
【０００６】
また、他のケースとして、撮影開始時に被写体の前後、あるいは撮影フレーム内に障害物が微妙に被ることがある。このような場合も撮り直すべきか否か撮影中に判断できずに、撮影終了後に残念な思いをすることがあった。
【０００７】
一方、下記特許文献２には、ハードディスク又は光ディスクの情報記録媒体を採用した据え置き型システムとしての記録再生装置が知られている。同装置において、ビデオカメラ、ＶＴＲなどの画像や音声のデータが入力され、記録、再生、編集が行われる。情報記録媒体に情報が記録されるのと同時に、その情報記録媒体に既に記録された情報が、任意の位置から再生される。
【特許文献１】特開２００１−１１１８７７号公報
【特許文献２】特開平１１−３９８５０号公報
【発明の開示】
【発明が解決しようとする課題】
【０００８】
上記したように、記録再生装置において、情報記録媒体に動画像の情報が記録されるのと同時に、その情報記録媒体に既に記録された情報が、任意の位置から再生される機能を有している。しかし、その記録再生装置は、パーソナルコンピュータと外部機器からなる据え置き型システムであって、携帯型のビデオカメラ自身に機能を持たせて実現したものではなく、ビデオカメラで撮影中に不便を来していたことに変わりがない。
【０００９】
そこで、本発明は、撮影中に、録画映像、特に撮影開始からの映像を表示して確認することができるビデオカメラを提供することを目的としている。
【課題を解決するための手段】
【００１０】
上記課題を解決するため、本発明に係るビデオカメラは、被写体の映像を記録媒体に動画として記録を行うビデオカメラにおいて、撮影中の映像を記録しながら撮影開始から一定時間分の映像を画面に表示する表示手段を有することを特徴とする。
【００１１】
また、本発明に係るビデオカメラは、被写体の映像を記録媒体に動画として記録を行うビデオカメラにおいて、撮影中の映像を記録しながら撮影開始から任意時間分の映像を画面に表示する表示手段を有することを特徴とする。
【発明の効果】
【００１２】
本発明によれば、ビデオカメラで動画を撮影する際に、撮影中の映像を記録しながら撮影開始からの一定時間分又は任意時間分の映像を画面に表示している。これにより、撮影中に撮影開始直後の映像を画面で確認できるので、撮影の成否を迅速に確認でき、撮り直す場合でもすぐに次の撮影準備を行うことができる。
【発明を実施するための最良の形態】
【００１３】
以下、各実施形態について説明する。撮影中の映像を記録しながら撮影開始から一定時間分の映像を画面に表示する発明は、第１、第３の実施形態に対応し、撮影中の映像を記録しながら撮影開始から任意時間分の映像を画面に表示する発明は、第２の実施形態に対応する。
【００１４】
（第１の実施形態）
本発明の第１の実施形態について図面（図１〜３）を参照して説明する。
【００１５】
図１は、本実施形態によるビデオカメラの装置の概略を示すブロック図である。
【００１６】
以下、各部の内部構成について説明する。
【００１７】
図１において、１０１はレンズであり、１０２はCCD等の撮像センサ、１０３は映像信号処理部、１０４はレンズを駆動するレンズドライバ、１０５は映像や音声信号を圧縮・伸張する圧縮伸長処理部、１０６は表示手段としてのLCDである。１０７は映像表示処理部、１０８は第１のメモリ１、１０９は第２のメモリ２、１１０は制御マイコン、１１１は録画開始ボタン等の操作ボタン類、１２０は記録媒体としての光ディスクのようなディスクである。１２１はディスクを回転するスピンドルモータ、１２２はディスク１２０に対して信号の記録または再生を行うピックアップ、１２３は再生信号または記録信号の処理を行うドライブ信号処理部、１２４はピックアップをディスクの径方向に移動させる送りモータである。１２５はピックアップのフォーカス及びトラッキング制御を行うアクチュエータ及びレーザーを駆動するピックアップドライバである。
【００１８】
被写体像がレンズ１０１を介して撮像センサ１０２において光電変換される。変換された電気信号は映像信号処理部１０３において映像信号に変換される。映像信号は圧縮伸長処理部１０５に供給されてデジタルの映像圧縮信号に変換される。圧縮方式としては静止画を扱う場合はJPEG方式、動画を扱う場合はMPEG方式等の公知の技術を用いる。一方、映像信号は、映像表示処理部１０７を介して、LCD１０６に表示される。
【００１９】
圧縮された映像信号は、第１のメモリ１０８に逐次保持される。次に第１のメモリ１０８に保持されている映像信号をディスク１２０に記録する。まず、スピンドルモータ１２１によりディスク１２０を回転する。次にピックアップドライバ１２５によりピックアップ１２２のフォーカス及びトラッキングアクチュエータを制御してサーボ制御を行う。
【００２０】
サーボが正常に制御された後に、必要に応じて記録アドレス位置までシークする。そこで記録開始アドレスまで回転待ちして、所望の記録アドレスから記録を開始する。また、第２のメモリメモリ１０９には操作ボタン１１１の録画開始ボタンが押された直後から、一定の時間、例えば５秒間分の映像データが保持されている。
【００２１】
次に、撮り始め映像の確認シーケンスについて説明する。
【００２２】
図２は、ビデオカメラの動作フロー図である。
【００２３】
図２において、電源が投入されて撮影可能状態S101になった後にS102で録画ボタンが押し下げされたかを判断する。録画ボタンが押し下げられたことを検出すると、S103で撮影している映像の符合化を開始する。符号化された映像データは、S105で第１のメモリ１０８に蓄積される。また、S102で録画ボタンが押し下げられると、S104で撮影中映像信号により映像がLCD１０６等の表示器に表示される。
【００２４】
第１のメモリ１０８に蓄積された映像データは、S106において所定のタイミングでディスク１２０に記録される。
【００２５】
S107において、録画ボタンが再度押し下げられたことを検出すると、一連の撮影を停止する。まずS108において映像の符合化を停止し、S109において第１のメモリ１０８に蓄積されている映像を全てディスク１２０に記録する。記録が完了するとS114において１回の撮影が終了する。
【００２６】
一方、第２のメモリ１０９にも符号化された映像データがS110において記録される。第１のメモリ１０８と第２のメモリ１０９に蓄積される映像データは同一のものである。ただし、第２のメモリ１０９には撮影開始直後の所定量の映像データのみを蓄積保持する。所定量とは、例えば符合化の際の最大レートをN（bps）としてその５秒分でN×5（bit）分の容量とすることにより設定することができる一定量である。通常の映像レートは最大レートより低いので、前記の設定によれば５秒分の映像の蓄積を保証することができる。
【００２７】
S111で第２のメモリ１０９への映像データの蓄積が完了する。蓄積が完了すると、操作ボタンの１つの確認ボタンをS112において押すことにより、映像データを確認することが可能となる。なお、S111で第２のメモリ１０９への蓄積が完了した後に、LCD１０６の画面に任意の記号等を表示することで、撮影者に告知する。
【００２８】
S112において確認ボタンが押されたことを検出すると、S113でLCD１０６に第２のメモリ１０９の映像を表示する。これは、第２のメモリ１０９の映像を圧縮伸長処理部１０５で伸長し、映像処理部１０７でLCD表示画面を生成することにより行う。
【００２９】
次に、図３に上記映像確認に至るフローに対応するLCD画面構成を示す。
【００３０】
図３は、本実施形態によるビデオカメラの表示画面概略図である。
【００３１】
図３において、（ａ）は、S102の録画ボタン押し下げ時の表示画面であり、メイン画面３０１を示している。（ｂ）は、S111で第２のメモリ１０９に所定量の映像データが蓄積された直後の表示画面を表す。ここで、メイン画面３０１中に記号３０２を表示して撮り始めの映像の確認が可能であることを告知する。
【００３２】
（ｃ）は、映像確認中の画面構成である。メイン画面３０１として現在撮影中の映像を、サブ画面３０３には第２のメモリ１０９に蓄積されている撮影開始直後から数秒分の映像を表示する。
【００３３】
撮影開始直後の映像の確認は、撮影が始まり第２のメモリ１０９への映像データの蓄積が始まった後はいつでも可能となる。従って、撮影途中であっても確認ができるので、撮り始めの映像を確認して撮影を中止し、次の録画タイミングのための準備をすることが可能となる。
【００３４】
このように、本実施形態では、記録媒体に記録する映像を保持するメモリとは別に撮影開始時点から一定時間分の映像を保持する専用のメモリに保持して撮影中に表示するので、装置の構成及び制御が簡潔となる。
【００３５】
（第２の実施形態）
以下、本発明に係る第２の実施形態について図面（図４，５）を参照して説明する。
【００３６】
図４は、本実施形態によるビデオカメラの装置の概略を示すブロック図である。図５は、同じくビデオカメラの動作フロー図である。
【００３７】
まず、各部の内部構成について説明する。なお、図１と同一の番号を付するブロックは、その作用も同様であり、説明を省略する。
【００３８】
本実施形態の装置は、半導体メモリを記録媒体として用いるものである。図４において１３０は、映像データを記録するフラッシュメモリである。１３１はメモリを制御するメモリ制御部である。
【００３９】
図４、図５により動作及び撮影フローを説明する。
【００４０】
S501で電源投入後の起動が完了してスタンバイ状態となり、S502で録画ボタンが押されると撮影が開始される。制御マイコン１１０が圧縮伸長処理部１０５に符号化の開始を指示すると、S503で映像の符合化が開始される。また、撮影中の映像はS504においてLCD１０６等の表示器に表示される。
【００４１】
符合化された映像は、S505においてメモリ制御部１３１を介してフラッシュメモリ１３０に記録される。撮影中は、映像の内容に応じた転送レートで逐次フラッシュメモリ１３０に符号化された映像データが記録されている。
【００４２】
S507で録画ボタンが再度押し下げられると撮影が停止される。S508で圧縮伸長処理部１０５に対して処理の停止が制御マイコン１１０により指示され、映像の符合化が停止する。
【００４３】
また、S509で圧縮された映像が全てフラッシュメモリ１３０に記録されたことが確認され記録が完了となる。そしてS516で１回の撮影が終了する。
【００４４】
ここで、S505でフラッシュメモリ１３０への蓄積が開始される際に、映像データが記録される先頭のアドレス値を制御マイコン１１０は保持しておく。
【００４５】
そして、S512において確認ボタンが押し下げられると、制御マイコン１１０が保持している先頭アドレス値をメモリ制御部１３１に指示すると、フラッシュメモリ１３０の指定アドレスから映像データが読み出される。読み出された映像は、圧縮伸長部１０５で伸長処理され映像表示処理部１０７で変換された後にLCD１０６に表示される。
【００４６】
さらに、S515において再度確認ボタンが押されると、確認映像の表示が停止する。
【００４７】
本実施形態の装置においては、記録媒体としてフラッシュメモリを用いており、撮り始めを確認する際の映像はそのフラッシュメモリの一部を読み出して生成し表示している。従って、確認映像の容量はフラッシュメモリの容量と同じであるので、数秒分に限定されることがないので、長時間の確認が可能となる。
【００４８】
このように、本実施形態では、撮影した映像データを記録している記録媒体から、撮影した記録データを撮影開始時点から任意時間分撮影中に確認することができる。データを一時的に保持するメモリやディスクドライブ機構を有せず、より簡単な構成にすることができる。
【００４９】
（第３の実施形態）
以下、本発明に係る第３の実施形態について図面（図６〜１０）を参照して説明する。
【００５０】
図６は、本実施形態におけるビデオカメラの装置の概略を示すブロック図である。
【００５１】
まず、各部の内部構成について説明する。なお、図１と同一の番号を付するブロックは、その作用も同様であり、説明を省略する。ただし、図１の第２のメモリ１０９は存在せず、第１のメモリ１０８を単一のメモリとしている。
【００５２】
本実施形態の特徴は、実施形態１と同様の光ディスクを用いた記録再生装置で、１つのメモリで通常の撮影と撮り始め映像確認を実現するものである。
【００５３】
最初に光ディスクを用いた間欠記録について説明する。
【００５４】
通常映像データをメモリに転送するレートに比べて、メモリからディスクに記録する際のレートの方が速い。例えばDVD等では映像の転送レートは通常４〜６Mbpsで、ディスクへの転送レートは24Mbpsとなっている。
【００５５】
従って、圧縮された映像データがメモリに蓄積されて所定量に達するまで、ディスクドライブを休止することができる。
【００５６】
図７は、ビデオカメラの間欠動作を示す図である。
【００５７】
図７において、（ａ）はメモリのデータ蓄積量を示し、（ｂ）はドライブの休止、起動の制御信号、（ｃ）は記録タイミングの制御信号である。（ａ）において、間欠動作のために、メモリ内のデータ蓄積量に対してしきい値Thが設定されている。ドライブが休止している間、メモリ１０８にはデータが蓄積され、時刻t1でデータ蓄積量がしきい値Thに達すると、ドライブを起動してサーボ制御し、所定のトラックにシークする。シークが完了すると時刻ｔ２で記録開始してメモリ１０８内のデータを記録して時刻t3で再び休止する。具体的にはスピンドルモータ１２１を停止して、ディスク１２０の回転を止める、またはサーボ制御を停止して、レーザーを消灯するなどによりディスクドライブの消費電力を低減する。
【００５８】
以上のように休止と起動を繰り返しながら記録を行う。
【００５９】
次に、メモリの読み書きの概略を説明する。
【００６０】
図８は、ビデオカメラのメモリ制御を示す図である。
【００６１】
図８において、図７の各時刻t2,t3,t5及びt6の時点のメモリ１０８に対する映像データの書込み状況とメモリ１０８からディスク１２０への読み出し状況を表したものである。
【００６２】
時刻t2は、ドライブが起動してディスク１２０に書き込みを始める直前の状態である。図８に示すように時刻t2においては、映像データはアドレス0〜アドレスM1まで書き込まれている。ディスク１２０への読み出しは、未だ行われていない。
【００６３】
時刻t3では、映像データはアドレスM5まで書き込まれている。またディスク１２０への１回目の読み出しが行われアドレス0〜アドレスM2までのデータがディスク１２０に記録された状態である。
【００６４】
従って、メモリ１０８のアドレス0〜アドレスM2までのデータは上書きすることが可能となる。
【００６５】
時刻t5では、映像データの書込みはアドレスM5から上限のアドレスMに到達した後に、続けてアドレス0〜M3まで進んだ状態である。
【００６６】
一方、ドライブは図７に示すように時刻t3〜t4まで休止した状態であり、時刻t5で再度起動した直後であるので、メモリ上の位置は前回の時刻t3の読み出しアドレスM2のままである。
【００６７】
時刻t5からディスク１２０への２回目の記録が始まり、時刻t6までにアドレスM2〜アドレスＭまで記録し、続けてアドレス0〜アドレスM4までの映像データを読み出してディスク１２０に記録している。
【００６８】
上記のシーケンスを繰り返すことにより間欠的に映像データをディスク１２０に記録している。
【００６９】
図９は、ビデオカメラの動作フロー図である。
【００７０】
動作フローは、撮影開始直後の撮り始め映像を確認する際のフローを示す。
【００７１】
電源が投入されて初期立ち上げが完了しS901で動作スタートする。S902において録画ボタンが押し下げられると、S903で映像の圧縮符合化が開始される。また、撮影中の映像はS904においてLCD１０６に表示される。
【００７２】
符号化された映像データはS905においてメモリ１０８に蓄積される。
【００７３】
ここで、メモリ内１０８の映像データの書込み及びディスク１２０への読み出しの概略を説明する。
【００７４】
図１０は、ビデオカメラのメモリ制御を示す図である。
【００７５】
本実施形態では、１つのメモリで通常映像の間欠動作と、撮り始め映像の確認動作を実現するために、蓄積開始アドレス０〜Mxまでは最初の１回目のみ映像データを書込み、２回目以降は書込み禁止に設定する。図１０の（A）は１回目の書込みであるので、アドレスM1まで映像データが書き込まれた状態である。
【００７６】
S906でメモリ１０８に蓄積された映像をディスク１２０に記録する。図１０の（B）は、ディスク１２０に１回目の記録が行われた直後の状態である。映像データの書込みアドレスはM5まで進行し、ディスク１２０へはアドレス0〜M2までの映像データが記録されている。
【００７７】
従って、従来ならアドレス０〜M2まで映像データの上書きが可能であるが、本実施形態ではアドレス０〜アドレスMxまでの映像データは撮り始め確認用に保持するので上書き禁止エリアに設定されている。
【００７８】
よって、図１０の（C）では、アドレスM5〜アドレスMに達した後に、アドレスMxから続きの映像を上書きしている。ここではアドレスM3まで映像データが書き込まれている。
【００７９】
図１０の（D）では、２回目のディスク１２０への記録が行われアドレスM2〜アドレスM、さらにアドレスMx〜アドレスM4までの映像データが読み出されてディスク１２０に記録される。
【００８０】
従って、通常撮影中でも撮り始めの映像データはアドレス０〜アドレスMxに保持される。
【００８１】
図９のS907で録画ボタンが再度押し下げられると撮影は停止し、S908で映像の圧縮符号化が停止される。次にメモリ１０８に保持されている残りの映像が全てディスク１２０に記録されるとS914で撮影の終了となる。
【００８２】
また、S912で図６の操作ボタン１１１の中の確認ボタンが押されると、S913においてメモリ１０８のアドレス０〜アドレスMxの映像データが圧縮伸長処理部１０５で伸長される。そして映像表示処理部１０７で表示信号に変換後にLCD１０６に表示される。
【００８３】
表示映像は、図３と同様であるので省略する。
【００８４】
ただし、図３ではメイン画面の一部にサブ画面として撮り始めの映像を表示しているが、画面を２分割して表示することも当然可能である。また、メインとサブの画面を切り換えて、撮り始めの映像を大きく表示するように切り換えるように変更することもできる。
【００８５】
本実施形態では、光ディスクを用いたビデオカメラで、通常のメモリのみを使用し、光ディスクに間欠記録する際に用いるメモリの一部を一定時間分の映像データの保持に割り当てている。それにより、撮り始めの映像の保持と、撮影中の表示を実現しているので、低コストで機能の実現を図ることができる。
【図面の簡単な説明】
【００８６】
【図１】本発明に係る第１の実施形態によるビデオカメラの装置の概略を示すブロック図
【図２】同じくビデオカメラの動作フロー図
【図３】同じくビデオカメラの表示画面概略図、（ａ）は、S102の録画ボタン押し下げ時の表示画面、（ｂ）は、S111で第２のメモリ１０９に所定量の映像データが蓄積された直後の表示画面、（ｃ）は、映像確認中の画面構成をそれぞれ示す図
【図４】本発明に係る第２の実施形態におけるビデオカメラの装置の概略を示すブロック図
【図５】同じくビデオカメラの動作フロー図
【図６】本発明に係る第３の実施形態におけるビデオカメラの装置の概略を示すブロック図
【図７】同じくビデオカメラの間欠動作を示す図、（ａ）は、メモリのデータ蓄積量、（ｂ）は、ドライブの休止、起動の制御信号、（ｃ）は、記録タイミングの制御信号をそれぞれ示す図
【図８】同じくビデオカメラのメモリ制御を示す図
【図９】同じくビデオカメラの動作フロー図
【図１０】同じくビデオカメラのメモリ制御を示す図
【符号の説明】
【００８７】
１０１…レンズ
１０２…撮像センサ
１０３…映像信号処理部
１０４…レンズドライバ
１０５…圧縮伸長処理部
１０６…LCD
１０７…映像表示処理部
１０８…第１のメモリ
１０９…第２のメモリ
１１０…制御マイコン
１１１…操作ボタン
１２０…ディスク
１２１…スピンドルモータ
１２２…ピックアップ
１２３…ドライブ信号処理部
１２４…送りモータ
１２５…ピックアップドライバ
【図１】
2007281689.tif 000003
【図２】
2007281689.tif 000004
【図３】
2007281689.tif 000005
【図４】
2007281689.tif 000006
【図５】
2007281689.tif 000007
【図６】
2007281689.tif 000008
【図７】
2007281689.tif 000009
【図８】
2007281689.tif 000010
【図９】
2007281689.tif 000011
【図１０】
2007281689.tif 000012